(57)【要約】【課題】自動でオーディオ専用モードになることでユーザーの利便性を確保すること。【解決手段】放送受信回路と、映像信号処理回路と、映像表示ディスプレイと、前記映像信号処理回路と前記映像表示ディスプレイを制御するＭＰＵと、オーディオ専用モードになるチャンネルをユーザーの好みに応じて記憶するメモリを備え、ユーザーが選局したチャンネルと前記メモリに記憶されたチャンネルとが一致した場合は、前記ＭＰＵが前記映像信号処理回路と前記映像表示ディスプレイをＯＦＦにする映像ミュート信号を送信する。【選択図】図１
2007036924.tif 000002
【特許請求の範囲】
【請求項１】
映像情報を必要としない場合は映像表示ディスプレイをＯＦＦし音声のみ出力することで省電力を実現するオーディオ専用モードを設けたテレビジョン受像装置において、オーディオ専用モードになるチャンネルを記憶しておき、以降は自動でオーディオ専用モードになることを特徴とするテレビジョン受像装置。
【請求項２】
地上波アナログ信号を受信するアナログ放送受信回路と、ＢＳデジタル放送を受信するＢＳデジタル放送受信回路と、前記受信回路の出力の音声信号を入力とし最適な音質に制御するための音声信号処理回路と、前記受信回路の出力の映像信号を入力とし最適な画質に制御するための映像信号処理回路と、音声信号を出力するスピーカと、映像信号を表示する映像表示ディスプレイと、ユーザーが選局やテレビジョン受像装置の状態を制御するためのユーザーＩ／Ｆ手段と、前記ユーザーＩ／Ｆ手段の出力に応じてテレビジョン受像装置内各回路を制御するマイコンと、ユーザーＩ／Ｆ手段からのＣＨ記録信号に応じてチャンネルデータを記憶するメモリとを備えたことを特徴とするテレビジョン受像装置。
【請求項３】
オーディオ専用モード時はチャンネル情報を表示をする請求項１のテレビジョン受像装置。
【請求項４】
オーディオ専用モード時はチャンネル情報を映像信号を表示するディスプレイとは別に表示することが可能なチャンネル表示用ディスプレイを備えたことを特徴とする請求項２のテレビジョン受像装置。
【請求項５】
オーディオ専用モードになる状態はＥＰＧなどを用いてチャンネル情報に加えて時間情報も記憶した請求項３のテレビジョン受像装置。
【請求項６】
メモリにはユーザーＩ／Ｆ手段からのＣＨ記録信号に応じたチャンネルデータに加えて時間情報も記憶した請求項４のテレビジョン受像装置。
【発明の詳細な説明】
【技術分野】
【０００１】
本発明はテレビジョン受像装置、特に映像信号を表示せずに音声信号だけを出力するオーディオ専用モードを備えたテレビジョン受像装置に関するものである。
【背景技術】
【０００２】
近年衛星放送を始めとするメディアの多チャンネル化により様々なコンテンツや放送方法が実現されている。例えばＢＳデジタル放送などではデジタルラジオ放送のチャンネルなどがある。これらは映像信号を送信せずに音声信号のみを送信しているが、昨今の環境や省エネへの意識の高まりと共に、このような放送では映像表示をＯＦＦして音声信号のみ出力するオーディオ専用モードを有したテレビジョン受像装置が提案されている（例えば特許文献１参照）。
【特許文献１】特開平６−２６８９３６号公報
【発明の開示】
【発明が解決しようとする課題】
【０００３】
従来のオーディオ専用モードを有したテレビジョン受像装置は放送モードを検出して音声信号のみの放送モードの時のみオーディオ専用モードとなるようになっている。しかし昨今ではさらなるメディアの多様化によりデジタルラジオ放送だけでなく一般のデジタル放送でも音楽を中心とした番組等が供給されており、それらは映像が静止画であったり、ＢＧＶ（バックグランドビデオ）的であったりして、音声信号だけ聞ければ映像表示は不要という機会が増えている。また音声信号だけでない一般の放送でも音声だけで楽しみたいという要求もある。従来のテレビジョン受像装置ではこのようなユーザーの要求に柔軟に対応できないという課題があった。
【０００４】
本発明は前記従来の課題を解決するもので、ユーザーがオーディオ専用モードに設定したいチャンネルを予めメモリしておき、そのチャンネルを選択したら自動的にオーディオ専用モードとなるように制御することにより、ユーザーの利便性を確保しつつ不要な電力の低減を図るテレビジョン受像装置を提供することを目的とする。
【課題を解決するための手段】
【０００５】
前記課題を解決するために、本発明の第１の発明に係るテレビジョン受像装置は、映像情報を必要としない場合は映像表示ディスプレイをＯＦＦし音声のみ出力することで省電力を実現するオーディオ専用モードを設けたテレビジョン受像装置において、オーディオ専用モードになるチャンネルをユーザーの好みに応じて記憶しておき、以降は自動でオーディオ専用モードになることでユーザーの利便性を確保する作用を有することを特徴とする。
【０００６】
本発明の第２の発明に係るテレビジョン受像装置は、地上波アナログ信号を受信するアナログ放送受信回路と、ＢＳデジタル放送を受信するＢＳデジタル放送受信回路と、前記受信回路の出力の音声信号を入力とし最適な音質に制御するための音声信号処理回路と、前記受信回路の出力の映像信号を入力とし最適な画質に制御するための映像信号処理回路と、音声信号を出力するスピーカと、映像信号を表示する映像表示ディスプレイと、ユーザーが選局やテレビジョン受像装置の状態を制御するためのユーザーＩ／Ｆ手段と、前記ユーザーＩ／Ｆ手段の出力に応じてテレビジョン受像装置内各回路を制御するマイコンと、ユーザーＩ／Ｆ手段からのＣＨ記録信号に応じてチャンネルデータを記憶するメモリとを備えたことを特徴とする。
【０００７】
第３の発明に係るテレビジョン受像装置は、第１の発明に加えオーディオ専用モード時はチャンネル情報を表示することでユーザーの利便性を確保することを特徴とするものである。
【０００８】
第４の発明に係るテレビジョン受像装置は、第２の発明に加えオーディオ専用モード時はチャンネル情報を映像信号を表示するディスプレイとは別に表示することが可能なチャンネル表示用ディスプレイを備えたことを特徴とするものである。
【０００９】
第５の発明に係るテレビジョン受像装置は、第３の発明に加えオーディオ専用モードになる状態はＥＰＧなどを用いてチャンネル情報に加えて時間情報も記憶することを特徴とするものである。
【００１０】
第６の発明に係るテレビジョン受像装置は、第４の発明のメモリをユーザーＩ／Ｆ手段からのＣＨ記録信号に応じたチャンネルデータに加えて時間情報も記憶したものに変えたことを特徴とするものである。
【発明の効果】
【００１１】
本発明によれば、映像情報を必要としない場合は映像表示ディスプレイをＯＦＦし音声のみ出力することで省電力を実現するオーディオ専用モードを設けたテレビジョン受像装置において、オーディオ専用モードになるチャンネルをユーザーの好みに応じて記憶しておき以降は自動でオーディオ専用モードになることで、ユーザーの利便性を確保するテレビジョン受像装置を提供することが可能となる。
【発明を実施するための最良の形態】
【００１２】
以下本発明を実施するための最良の形態について、図面を参照しながら説明する。
【００１３】
（実施の形態１）
図１は本発明のテレビジョン受像装置の構成図である。図１はアナログ放送受信回路１、ＢＳデジタル放送受信回路２、音声信号処理回路３、映像信号処理回路４、スピーカ５、映像表示ディスプレイ６、ユーザーＩ／Ｆ手段７、マイコン８、メモリ９、ＣＨ表示ディスプレイ１０とからなる。
【００１４】
以下に具体的な動作を説明する。地上波アナログ放送は第１の受信回路により復調等の処理をされて第１の映像信号と第１の音声信号に分離される。またＢＳデジタル放送などのデジタル放送は第２の受信回路により、復調、デスクランブルなどの処理をされて第２の映像信号と第２の音声信号に分離される。分離された各々の音声信号は音声信号処理回路３に入力され音量や音質などの調整を行い最適な音声信号としてスピーカ５より出力される。一方、分離された各々の映像信号は映像信号処理回路３に入力されコントラスト調整やカラー調整、ピーキング処理などの調整を行い最適な映像信号として映像表示ディスプレイ６より表示される。
【００１５】
この時ユーザーが放送内容により映像信号は不要で音声信号だけ聞きたいと判断したらこのチャンネルをユーザーＩ／Ｆ手段７によりマイコン８を介してメモリ９に記憶すると同時に、映像信号処理回路４および映像表示ディスプレイ６の電源をＯＦＦし映像信号を表示しないようにする（オーディオ専用モード）。ユーザーＩ／Ｆ手段７は例えばリモコンを用いたり、ＯＳＤのメニューを用いたりする。
【００１６】
映像信号が表示されていないため、現在どのチャンネルを受信しているか知りたい場合は映像表示ディスプレイ６とは別に設けたＣＨ表示ディスプレイ１０にチャンネル情報を表示する。
【００１７】
オーディオ専用モードで番組を聞いていて、違うチャンネルを見たくなったら通常のテレビジョンのように選局を変更する。この際にメモリ９にチャンネル情報が記憶されていないチャンネルを選局した場合はオーディオ専用モードを解除する。もしメモリ９にチャンネル情報が記憶されているチャンネルを選局した場合はオーディオ専用モードを継続する。そうすることで例えば野球放送を見ながらコマーシャルの間だけ音楽を楽しむという場合に、一々ユーザーがオーディオ専用モードへの移行を選択しなくても、一度チャンネル情報をメモリ９に記憶しておくだけで以降は自動でオーディオ専用モードへの移行、解除を行うことができる。
【００１８】
さらにＥＰＧ（番組表）を用いた録画予約のようにオーディオ専用モードへの移行をチャンネル毎、時間毎に予め設定することでさらなるユーザーの利便性を向上させることが可能となる。
【産業上の利用可能性】
【００１９】
本発明にかかるテレビジョン受像装置は、ユーザーの利便性を確保しつつ不要な電力の低減を図ることができるので、オーディオ専用モードを備えたテレビジョン受像装置として有用である。
【図面の簡単な説明】
【００２０】
【図１】本発明のテレビジョン受像装置のブロック図を示した図
【符号の説明】
【００２１】
１    アナログ放送受信回路
２    ＢＳデジタル放送受信回路
３    音声信号処理回路
４    映像信号処理回路
５    スピーカ
６    映像表示ディスプレイ
７    ユーザーＩ／Ｆ手段
８    マイコン
９    メモリ
１０    ＣＨ表示ディスプレイ
【図１】
2007036924.tif 000003